(57)【要約】【課題】不揮発性ディスプレイの表示領域の拡大や表示内容の切り替えの手法によらず、不揮発性ディスプレイに動作可能状態への復帰に必要な情報を過不足なく表示させることができる、画像処理装置を提供する。【解決手段】ＭＦＰには、電力の供給を受けずに画像の表示を維持可能な不揮発性ディスプレイが設けられている。ＭＦＰの動作を中断するエラー（動作中断要因）が生じている場合（Ｓ１４：ＹＥＳ）、そのエラーの解消のためのエラー解消情報が優先表示情報であるか否かが判別される（Ｓ１５）。そして、エラー解消情報が優先表示情報である場合、そのエラー解消情報が優先表示情報ではないエラー解消情報よりも優先して不揮発性ディスプレイに表示される（Ｓ１７）。【選択図】図４
2018157404.tif 000002
【特許請求の範囲】
【請求項１】
画像データに係る画像をシートに形成する画像形成動作または原稿の画像を読み取って画像データを生成する画像読取動作の少なくとも一方の動作を行う画像処理装置であって、
画像を表示する表示部と、
記憶部と、
制御部と
を備え、
前記表示部は、電力の供給を受けずに画像の表示を維持可能な不揮発性ディスプレイを含み、
前記記憶部は、前記動作を中断する動作中断要因の解消のための情報を複数と、複数の前記動作中断要因の解消のための情報のうちいずれが優先表示情報であるか否かを示す情報と、を記憶しており、
前記制御部は、
前記動作中断要因が生じているか否かを判別し、
前記動作中断要因が生じている場合、その生じている前記動作中断要因の解消のための情報が前記優先表示情報であるか否かを判別し、
前記優先表示情報であると判別した前記動作中断要因の解消のための情報を、前記優先表示情報であると判別していない前記動作中断要因の解消のための情報よりも優先して前記不揮発性ディスプレイに表示させる、画像処理装置。
【請求項２】
請求項１に記載の画像処理装置であって、
前記記憶部には、複数の前記動作中断要因の個々と対応づけて、その個々の前記動作中断要因の解消のための情報の表示優先レベルが記憶されており、
前記制御部は、複数の前記動作中断要因が生じている場合、その生じている前記動作中断要因の個々に対応する前記表示優先レベルを比較して、前記優先表示情報を決定する、画像処理装置。
【請求項３】
請求項２に記載の画像処理装置であって、
前記記憶部には、前記動作中断要因の個々と対応づけて、その個々の前記動作中断要因の解消のための情報が前記優先表示情報であるか否かが記憶されている、画像処理装置。
【請求項４】
請求項３に記載の画像処理装置であって、
前記制御部は、複数の前記動作中断要因が生じている場合であって、その生じている前記動作中断要因の解消のための情報のすべてが前記優先表示情報ではない場合、前記表示優先レベルを比較して、前記不揮発性ディスプレイに表示させる前記動作中断要因の解消のための情報を決定する、画像処理装置。
【請求項５】
請求項１〜４のいずれか一項に記載の画像処理装置であって、
前記制御部は、複数の前記動作中断要因の解消のための情報が前記優先表示情報である場合であって、前記優先表示情報である前記動作中断要因の解消のための情報のすべてを前記不揮発性ディスプレイに表示しきれない場合、前記不揮発性ディスプレイに表示されない前記動作中断要因の解消のための情報が存在する旨を前記不揮発性ディスプレイに表示させる、画像処理装置。
【請求項６】
請求項１〜５のいずれか一項に記載の画像処理装置であって、
前記制御部は、前記不揮発性ディスプレイに表示されている情報に対応する前記動作中断要因が解消された場合であって、他の前記動作中断要因が生じている場合、前記他の前記動作中断要因の解消のための情報が前記優先表示情報であるか否かを判別し、
前記他の前記動作中断要因の解消のための情報が前記優先表示情報である場合、前記他の前記動作中断要因の解消のための情報を前記不揮発性ディスプレイに表示させる、画像処理装置。
【請求項７】
請求項１〜６のいずれか一項に記載の画像処理装置であって、
前記動作のために電力により駆動されるエンジンをさらに備え、
前記制御部は、
前記動作中断要因が生じている場合、前記エンジンへの電力の供給を遮断し、
前記動作中断要因がすべて解消された場合、前記エンジンへの電力の供給を再開する、画像処理装置。
【請求項８】
請求項７に記載の画像処理装置であって、
前記制御部は、
前記動作中断要因が生じたことに応じて、前記動作を中断させ、
前記エンジンへの電力の供給の再開後、中断していた前記動作を再開させる、画像処理装置。
【請求項９】
請求項１〜８のいずれか一項に記載の画像処理装置であって、
前記表示部は、電力の供給を受けずには画像の表示を維持不能な揮発性ディスプレイを含み、
前記制御部は、
前記動作中断要因が生じている状態で、前記揮発性ディスプレイへの電力供給を遮断する条件が成立した場合、その生じている前記動作中断要因の解消のための情報が前記優先表示情報であるか否かを判別し、
前記動作中断要因の解消のための情報が前記優先表示情報である場合、前記動作中断要因の解消のための情報を前記不揮発性ディスプレイに表示させ、
前記揮発性ディスプレイへの電力供給を遮断する、画像処理装置。
【請求項１０】
請求項９に記載の画像処理装置であって、
前記制御部は、
前記動作中断要因が生じている状態で、前記揮発性ディスプレイへの電力供給を遮断する条件が成立しない場合、その生じている前記動作中断要因の解消のための情報を前記揮発性ディスプレイに表示させる、画像処理装置。
【請求項１１】
請求項９または１０に記載の画像処理装置であって、
前記制御部は、前記揮発性ディスプレイへの電力供給の遮断後、前記揮発性ディスプレイへの電力供給を再開する条件が成立した場合、前記揮発性ディスプレイへの電力供給を再開する、画像処理装置。
【請求項１２】
請求項１１に記載の画像処理装置であって、
前記制御部は、前記揮発性ディスプレイへの電力供給の再開後、前記不揮発性ディスプレイに表示されている情報に係る前記動作中断要因とは異なる前記動作中断要因の解消のための情報を前記揮発性ディスプレイに表示させる、画像処理装置。
【請求項１３】
請求項１１に記載の画像処理装置であって、
前記制御部は、
前記不揮発性ディスプレイには、前記優先表示情報に係る前記動作中断要因を表示させ、
前記揮発性ディスプレイには、前記不揮発性ディスプレイに表示される前記動作中断要因を解消する方法を表示させる、画像処理装置。
【請求項１４】
請求項１１に記載の画像処理装置であって、
前記制御部は、前記揮発性ディスプレイへの電力供給の再開後、前記不揮発性ディスプレイの表示を消去する、画像処理装置。
【発明の詳細な説明】
【技術分野】
【０００１】
本発明は、画像形成動作または画像読取動作の少なくとも一方の動作を行う画像処理装置に関する。画像形成動作は、画像データに係る画像をシートに形成する動作であり、画像読取動作は、原稿の画像を読み取って画像データを生成する動作である。
【背景技術】
【０００２】
画像処理装置の一例であるＭＦＰ（Multi-Function Peripheral）は、通常、ディスプレイを搭載している。ディスプレイには、各種の設定に関する情報、たとえば、印刷枚数や印刷品質、印刷用紙のサイズなどの情報が表示される。ディスプレイにはさらに、ＭＦＰの動作を中断する要因（エラー）が生じた場合に、その動作中断要因や動作中断要因を解消して動作可能状態に復帰させる方法などの情報が表示される。ディスプレイとしては、液晶ディスプレイが一般的である。
【０００３】
また、ＭＦＰでは、動作を停止した状態が続いた場合、スリープモードに移行する。スリープモードは、液晶ディスプレイを含む各部への電力の供給を停止することにより、消費電力が低減されるモードである。そのため、スリープモードに移行すると、液晶ディスプレイの表示が消え、ＭＦＰに動作中断要因が生じていても、ユーザが動作中断要因が生じていることを認知できなくなる。
【０００４】
そこで、電子ペーパなどの不揮発性ディスプレイを補助的に設けて、スリープモードに移行するときに、動作可能状態への復帰（動作中断要因の解消）に必要な情報を不揮発性ディスプレイに表示させる提案がなされている（たとえば、特許文献１，２参照）。
【先行技術文献】
【特許文献】
【０００５】
【特許文献１】特開２００６−２０１４６０号公報
【特許文献２】特開２００６−１３９１４５号公報
【発明の概要】
【発明が解決しようとする課題】
【０００６】
ところが、動作可能状態への復帰に必要な情報の量が多いと、必要なすべての情報を不揮発性ディスプレイに表示させることができない。そのため、必要な情報の一部の表示が欠落してしまい、動作可能状態への復帰が遅れ、ＭＦＰの動作効率が低下するおそれがある。
【０００７】
不揮発性ディスプレイの表示領域を拡大すれば、必要なすべての情報を不揮発性ディスプレイに表示させることが可能となるが、コストが嵩む。
【０００８】
また、不揮発性ディスプレイの表示内容を短時間毎に切り替えることにより、一定期間で多くの情報を不揮発性ディスプレイに表示させることができる。しかし、表示内容を切り替える度に不揮発性ディスプレイに電力を供給する必要が生じ、不揮発性ディスプレイを用いる良さが損なわれてしまう。
【０００９】
本発明の目的は、不揮発性ディスプレイの表示領域の拡大や表示内容の切り替えの手法によらず、不揮発性ディスプレイに動作可能状態への復帰に必要な情報を過不足なく表示させることができる、画像処理装置を提供することである。
【課題を解決するための手段】
【００１０】
前記の目的を達成するため、本発明に係る画像処理装置は、画像データに係る画像をシートに形成する画像形成動作または原稿の画像を読み取って画像データを生成する画像読取動作の少なくとも一方の動作を行う画像処理装置であって、画像を表示する表示部と、記憶部と、制御部とを備え、表示部は、電力の供給を受けずに画像の表示を維持可能な不揮発性ディスプレイを含む。記憶部は、動作を中断する動作中断要因の解消のための情報を複数と、複数の動作中断要因の解消のための情報のうちいずれが優先表示情報であるか否かを示す情報と、を記憶している。制御部は、動作中断要因が生じているか否かを判別し、動作中断要因が生じている場合、その生じている動作中断要因の解消のための情報が優先表示情報であるか否かを判別し、優先表示情報であると判別した動作中断要因の解消のための情報を、優先表示情報であると判別していない動作中断要因の解消のための情報よりも優先して不揮発性ディスプレイに表示させる。
【００１１】
この構成によれば、電力の供給を受けずに画像の表示を維持可能な不揮発性ディスプレイが設けられている。画像処理装置の動作を中断する動作中断要因が生じている場合、その動作中断要因の解消のための情報が優先表示情報であるか否かが判別される。そして、動作中断要因の解消のための情報が優先表示情報である場合、その解消のための情報が優先表示情報ではない動作中断要因の解消のための情報よりも優先して不揮発性ディスプレイに表示される。
【００１２】
これにより、不揮発性ディスプレイの表示領域の拡大や表示内容の切り替えの手法によらず、不揮発性ディスプレイに動作可能状態への復帰に必要な情報を過不足なく表示させることができる。その結果、動作中断状態から動作可能状態への復帰時期を早めることができ、画像処理装置の動作効率の増大を図ることができる。
【発明の効果】
【００１３】
本発明によれば、動作中断状態から動作可能状態への復帰時期を早めることができ、画像処理装置の動作効率の増大を図ることができる。
【図面の簡単な説明】
【００１４】
【図１】本発明の一実施形態に係るＭＦＰの斜視図である。
【図２】ＭＦＰに設けられている操作パネルの平面図である。
【図３】ＭＦＰの電気的構成を示すブロック図である。
【図４】エラー表示処理の流れを示すフローチャートである。
【図５】表示情報取得処理の流れを示すフローチャートである。
【図６】制御部のＲＯＭに記憶されている優先度テーブルの一例を示す図である。
【図７】不揮発性ディスプレイの表示例を示す図である。
【図８】不揮発性ディスプレイの他の表示例を示す図である。
【図９】不揮発性ディスプレイおよび液晶タッチパネルの表示例を示す図である。
【図１０】不揮発性ディスプレイおよび液晶タッチパネルの他の表示例を示す図である。
【図１１】中断／再開処理の流れを示すフローチャートである。
【図１２】変形例に係るエラー表示処理の流れを示すフローチャートである。
【図１３】液晶タッチパネルの表示例を示す図である。
【図１４】不揮発性ディスプレイの表示の変化の一例を示す図である。
【発明を実施するための形態】
【００１５】
以下では、本発明の実施の形態について、添付図面を参照しつつ詳細に説明する。
【００１６】
＜ＭＦＰの外観構成＞
図１には、画像処理装置の一例として、ＭＦＰ（Multi-Function Peripheral）１が示されている。ＭＦＰ１は、画像データに係る画像をプリント用紙などのシートに形成する画像形成機能（プリント機能）と、原稿の画像を読み取って画像データを生成する画像読取機能（スキャン機能）とを有する複合機である。ＭＦＰ１は、画像形成機能のための画像形成装置２および画像読取機能のための画像読取装置３を備えている。
【００１７】
画像形成装置２の最下部には、給紙カセット４が着脱可能に設けられている。給紙カセット４は、複数枚のシートをそれらが上下に積み重なった積層状態で支持可能に構成されている。画像形成装置２の上面には、排紙トレイ５が形成されている。
【００１８】
画像形成装置２では、給紙カセット４から装置内（筐体内）にシートが１枚ずつ送り出され、そのシートが装置内を排紙トレイ５に向けて搬送される。シートが装置内を搬送される途中、装置内に収容されている画像形成部２１（図３参照）により、画像データに係る画像がシートに形成される。画像形成済みのシートは、装置内から排紙トレイ５上に排出されて、上下に積み重なった積層状態で排紙トレイ５に支持される。
【００１９】
画像読取装置３は、画像形成装置２の上側に配置されている。画像読取装置３は、画像読取部２３（図３参照）を収容する部分と、ＡＤＦ（Auto Document Feeder：自動原稿搬送装置）６とを備えている。ＡＤＦ６は、画像読取部２３を収容する部分の上面を、開放する位置と覆う位置との間で開閉可能に設けられている。ＡＤＦ６には、ＡＤＦ搬送部２４（図３参照）により搬送される過程でジャムした原稿を取り除くジャム処理などのために、開閉可能なＡＤＦカバー８が設けられている。画像読取部２３を収容する部分の上面には、コンタクトガラス（図示せず）が設けられている。
【００２０】
画像読取装置３では、フラットベッド方式およびＡＤＦ方式の両方式による画像の読み取りが可能である。フラットベット方式による画像の読み取りの際には、ＡＤＦ６が一旦開かれて、コンタクトガラス上に原稿が読取対象面をコンタクトガラス側に向けて載置された後、ＡＤＦ６が閉じられる。そして、ＡＤＦ６により原稿が上側から覆われた状態で、画像読取部２３により、原稿の読取対象面の画像が読み取られる。一方、ＡＤＦ方式による画像の読み取りの際には、ＡＤＦ６の原稿セット位置に原稿が載置される。原稿セット位置から原稿が１枚ずつ送り出され、その原稿がコンタクトガラス上に向けて搬送される。原稿がコンタクトガラス上を通過する際、画像読取部２３により、原稿のコンタクトガラスとの接触面の画像が読み取られる。画像読取後の原稿は、ＡＤＦ６の上面の原稿排出位置に排出される。
【００２１】
また、ＭＦＰ１は、各種の設定および指示などの入力ならびに各種の情報の表示のための操作パネル７を備えている。ＭＦＰ１では、操作パネル７が設けられている側が正面側であり、そのＭＦＰ１を正面側（前側）から見た左側および右側がそれぞれＭＦＰ１の「左側」および「右側」である。操作パネル７は、左右方向に延びる矩形板状をなし、画像読取装置３の前面に配置され、その前面に沿った角度とその状態から下端部が前側に突出するように傾斜した角度との間で角度調整可能に設けられている。
【００２２】
＜操作パネル＞
操作パネル７は、図２に示されるように、表示部１１、操作部１２およびＮＦＣ（Near Field Communication）部１３を備えている。
【００２３】
表示部１１は、操作パネル７の左右方向の中央部に配置されている。表示部１１には、不揮発性ディスプレイ１４および液晶タッチパネル１５（揮発性ディスプレイの一例）が含まれる。不揮発性ディスプレイ１４および液晶タッチパネル１５は、たとえば、上下に並べて配置されている。
【００２４】
不揮発性ディスプレイ１４は、電子ペーパなど、電力の供給を受けずに画像の表示を維持可能なディスプレイからなる。不揮発性ディスプレイ１４の表示領域は、左右方向に延びる矩形状の外形を有している。
【００２５】
液晶タッチパネル１５は、たとえば、抵抗膜方式のタッチパネルからなり、液晶ディスプレイ上に２枚の抵抗膜を含むタッチセンサを重ね合わせた構成を有している。液晶タッチパネル１５の表面が指などで押されると（タッチ操作）されると、２枚の抵抗膜が接触することにより抵抗値が変化し、その抵抗値の変化に基づいて、その押された位置が検出される。液晶タッチパネル１５では、各種の情報が表示され、タッチ操作により各種の設定および指示などを入力することができる。液晶ディスプレイは、電力の供給を受けずには画像の表示を維持不能な揮発性ディスプレイである。液晶タッチパネル１５の表示領域は、左右方向に延びる矩形状の外形を有し、たとえば、左右方向の寸法が不揮発性ディスプレイ１４の左右方向の寸法と同じであり、左右方向と直交する方向の寸法が不揮発性ディスプレイ１４の上下方向の寸法よりも大きいように形成されている。
【００２６】
操作部１２は、操作パネル７における表示部１１の右側に配置されている。操作部１２は、たとえば、静電容量式のタッチキーからなり、電源ボタン１６、ダイヤルボタン群（テンキー）１７および戻るボタン１８などを含む。
【００２７】
ＮＦＣ部１３は、操作パネル７における表示部１１の左側に配置されている。ＮＦＣは、国際規格であるＩＳＯ／ＩＥＣ１４４４３、ＩＳＯ／ＩＥＣ１８０９２などに対応する無線通信技術であり、１３．５６ＭＨｚ帯の通信周波数を利用する。ＮＦＣ部１３に非接触ＩＣカードや携帯端末などのＮＦＣ通信機能を有する機器がかざされる（近づけられる）と、その機器とＮＦＣ部１３との間でキャリアの変調による通信（ＮＦＣ通信）が行われる。
【００２８】
＜ＭＦＰの電気的構成＞
また、ＭＦＰ１は、図３に示されるように、画像形成部２１（エンジンの一例）、シート搬送部２２、画像読取部２３（エンジンの一例）、ＡＤＦ搬送部２４、通信部２５および制御部２６を備えている。
【００２９】
画像形成部２１は、画像データに係る画像（カラー画像またはモノクロ画像）をシートに形成する機構である。画像形成の方式は、電子写真方式であってもよいし、インクジェット方式であってもよい。
【００３０】
シート搬送部２２は、シートを給紙カセット４から排紙トレイ５（図１参照）まで画像形成部２１を経由して搬送する機構である。
【００３１】
画像読取部２３は、画像読取装置３（図１参照）のコンタクトガラスの下側に収容されている。画像読取部２３は、イメージセンサおよびＡＦＥ（Analog Front End）などを備えている。画像読取部２３では、コンタクトガラス上の原稿の画像がイメージセンサによって読み取られ、イメージセンサからアナログ画像信号が出力されて、ＡＦＥによりそのアナログ画像信号がデジタル画像データに変換される。
【００３２】
ＡＤＦ搬送部２４は、ＡＤＦ６（図１参照）の原稿セット位置にセットされた原稿を原稿セット位置から原稿排出位置までコンタクトガラス上を経由して搬送する機構である。
【００３３】
通信部２５は、たとえば、ＬＡＮ（Local Area Network）を経由したネットワーク通信のための回路などを備えている。ＬＡＮ２は、有線ＬＡＮまたは無線ＬＡＮで構成されていてもよいし、有線ＬＡＮおよび無線ＬＡＮの両方で構成されていてもよい。また、通信部２５は、電話回線網を介したファクシミリ通信のために、ＮＣＵ（Network Control Unit）を内蔵したモデムなどを備えていてもよい。
【００３４】
制御部２６は、ＡＳＩＣ（Application Specific Integrated Circuit）３１、ＲＯＭ３２（記憶部の一例）およびＲＡＭ３３などを備えている。
【００３５】
ＡＳＩＣ３１は、ＣＰＵ３４（制御部の一例）を内蔵している。ＡＳＩＣ３１には、ＲＯＭ３２およびＲＡＭ３３以外に、制御対象として、操作パネル７、画像形成部２１、シート搬送部２２、画像読取部２３、ＡＤＦ搬送部２４および通信部２５が接続されている。ＣＰＵ３４は、ＡＳＩＣ３１に入力される信号などに基づいて、ＲＯＭ３２に記憶されているプログラムを実行することにより各部を制御する。ＣＰＵ３４による制御（プログラム）の実行時、ＲＡＭ３３がワークエリアとして使用される。ＲＡＭ３３には、ＮＶＲＡＭ（Non Volatile RAM）などの不揮発性メモリが含まれていてもよい。
【００３６】
＜エラー表示処理＞
液晶タッチパネル１５に電力が供給されて、液晶タッチパネル１５に画像が表示されている間、ＣＰＵ３４により、図４に示されるエラー表示処理が実行される。
【００３７】
エラー表示処理では、ＣＰＵ３４は、液晶タッチパネル１５への電力の供給を遮断する条件（以下、「液晶オフ条件」という。）が成立したか否かを判別する（Ｓ１１）。
【００３８】
液晶オフ条件は、たとえば、操作部１２および液晶タッチパネル１５が操作されず、かつ、通信部２５が画像形成または画像読取の実行指示を受信しない状態が所定時間継続したというスリープ条件を含む。また、液晶オフ条件は、スリープ条件に加えて、画像形成機能による画像形成動作（画像データに係る画像をシートに形成する動作）または画像読取機能による画像読取動作（原稿の画像を読み取って画像データを生成する動作）の少なくとも一方の動作を中断する動作中断要因、つまりエラー（以下、「動作中断要因」を「エラー」という。）が生じているという条件を含んでもよいし、さらに別の条件の１つまたは複数がさらに加えられてもよい。別の条件としては、操作部１２または液晶タッチパネル１５における所定操作がなされたという条件、エラーが生じてから所定時間が経過したという条件、発生中のすべてのエラーを解消するための情報を不揮発性ディスプレイ１４に一度に表示しきれるという条件を例示することができる。
【００３９】
液晶オフ条件が成立していない場合（Ｓ１１：ＮＯ）、ＣＰＵ３４は、エラーが生じているか否かを判別する（Ｓ１２）。
【００４０】
エラーが生じていない場合（Ｓ１２：ＮＯ）、ＣＰＵ３４は、エラー表示処理を終了する。
【００４１】
エラーが生じている場合（Ｓ１２：ＹＥＳ）、ＣＰＵ３４は、その生じているエラーの解消のためのエラー解消情報を液晶タッチパネル１５に表示させて（Ｓ１３）、エラー表示処理を終了する。
【００４２】
エラー解消情報は、エラーの内容を表す情報であってもよいし、エラーの解消方法を表す情報であってもよい。ユーザがエラーの内容を知得すればその解消方法を容易に思い浮かぶ場合、そのエラーの内容を表す情報がエラーの解消方法を表す情報であるとも言え、その両方の情報がエラー解消情報と言える。
【００４３】
液晶オフ条件が成立している場合にも（Ｓ１１：ＹＥＳ）、ＣＰＵ３４は、エラーが生じているか否かを判別する（Ｓ１４）。
【００４４】
エラーが生じている場合（Ｓ１４：ＹＥＳ）、ＣＰＵ３４は、不揮発性ディスプレイ１４に表示させるべき情報を取得する表示情報取得処理を実行する（Ｓ１５）。表示情報取得処理については、後述する。
【００４５】
表示情報取得処理の終了後、ＣＰＵ３４は、表示変更処理を実行する（Ｓ１６）。表示変更処理は、表示情報取得処理で取得した情報を不揮発性ディスプレイ１４に表示させる際にその表示を通常から変更する必要があるか否かを判別し、変更の必要がある場合に、変更後の表示内容（表示態様）を決定する処理である。表示変更処理による表示の変更の具体例は、表示情報取得処理と併せて後述する。
【００４６】
表示変更処理の終了後、ＣＰＵ３４は、表示情報取得処理および表示変更処理の結果に応じて、不揮発性ディスプレイ１４に情報を表示する（Ｓ１７）。
【００４７】
そして、ＣＰＵ３４は、液晶タッチパネル１５への電力の供給を遮断し、液晶タッチパネル１５の表示をオフにする（Ｓ１８）。
【００４８】
一方、エラーが生じていない場合（Ｓ１４：ＮＯ）、ＣＰＵ３４は、ステップＳ１５〜Ｓ１７をスキップして、液晶タッチパネル１５への電力の供給を遮断し、液晶タッチパネル１５の表示をオフにする（Ｓ１８）。
【００４９】
液晶タッチパネル１５への電力の供給の遮断後、ＣＰＵ３４は、液晶タッチパネル１５への電力の供給を再開する条件（以下、「液晶オン条件」という。）が成立したか否かを判別する（Ｓ１９）。
【００５０】
液晶オン条件は、たとえば、操作部１２または液晶タッチパネル１５が操作されたという条件、通信部２５が画像形成または画像読取の実行指示を受信したという条件などをそれらのＡＮＤ条件またはＯＲ条件として含む。また、液晶オン条件には、ＭＦＰ１に生じていたエラーが解消されたという条件が含まれてもよい。
【００５１】
液晶オン条件が成立するまで（Ｓ１９：ＮＯ）、液晶タッチパネル１５への電力の供給が遮断された状態が維持される。
【００５２】
液晶オン条件が成立すると（Ｓ１９：ＹＥＳ）、ＣＰＵ３４は、液晶タッチパネル１５への電力の供給を再開して、液晶タッチパネル１５に所定の情報を表示させて（Ｓ２０）、エラー表示処理を終了する。
【００５３】
＜表示情報取得処理＞
図４のステップＳ１５で実行される表示情報取得処理の流れは、図５に示されている。
【００５４】
表示情報取得処理では、ＣＰＵ３４は、複数のエラーが生じているか否かを判別する（Ｓ１５１）。
【００５５】
複数のエラーが生じていない場合、つまり単一のエラーが生じている場合には（Ｓ１５１：ＮＯ）、ＲＯＭ３２に記憶されているエラー解消情報テーブルを参照して、その生じているエラーの解消のための情報、つまりエラー解消情報を取得する（Ｓ１５２）。ＲＯＭ３２には、ＭＦＰ１で生じ得るエラーと各エラーのエラー解消情報とが対応づけてテーブルの形式で記憶されている。たとえば、排紙トレイ５がシートをそれ以上に排出不能な満載状態であるというエラー「排紙トレイ満載」に対しては、「排紙トレイが満載状態です」というエラーの内容を表す情報と、「排紙トレイから用紙を取り除いてください」というエラーの解消方法を表す情報とがエラー解消情報として記憶されている。
【００５６】
一方、複数のエラーが生じている場合（Ｓ１５１：ＹＥＳ）、ＣＰＵ３４は、ＲＯＭ３２に記憶されている優先度テーブルを参照して、その生じている複数のエラーの中に優先表示情報に対応するエラーがあるかどうかを判別する（Ｓ１５３）。
【００５７】
優先度テーブルでは、図６に示されるように、エラー（動作中断要因）の種類と、各エラーのエラー解消情報が優先表示情報であるか否かを示す情報と、そのエラー解消情報の表示優先レベルとが対応づけられている。表示優先レベルは、１〜１０までの１０段階の数値で示され、その数値が大きいほど不揮発性ディスプレイ１４への表示の優先度が高いことを表し、解消に時間がかかるエラーほど大きい数値に設定されている。
【００５８】
図６に示される優先度テーブルの一例では、トナー（またはインク）が切れているか切れる直前であるというエラー「トナー（インク）無し」に対しては、エラー解消情報が優先表示情報であるという情報が記憶され、エラー解消情報の表示優先レベル「１０」が設定されている。トナー（またはインク）のカートリッジが画像形成装置２（図１参照）に装着されていないというエラー「カートリッジ未装着」に対しては、エラー解消情報が優先表示情報であるという情報が記憶され、エラー解消情報の表示優先レベル「９」が設定されている。給紙カセット４に用紙（シート）がなく、かつ、給紙カセット４以外にシートを支持する給紙トレイが設けられていないか、または、給紙カセット４以外に給紙トレイが設けられている場合であって、その給紙トレイに給紙カセット４の用紙に代替できる用紙（シート）がない場合のエラー「用紙無し（代替できる用紙が他のトレイに無い）」に対しては、エラー解消情報が優先表示情報であるという情報が記憶され、エラー解消情報の表示優先レベル「８」が設定されている。シート搬送部２２（図３参照）により搬送されるシートまたはＡＤＦ搬送部２４（図３参照）により搬送される原稿のジャムが生じているというエラー「ジャム」に対しては、エラー解消情報が優先表示情報であるという情報が記憶され、エラー解消情報の表示優先レベル「７」が設定されている。給紙カセット４に用紙（シート）がなく、かつ、給紙カセット４以外に設けられた給紙トレイに給紙カセット４の用紙に代替できる用紙（シート）がある場合のエラー「用紙無し（代替できる用紙が他のトレイに有る）」に対しては、エラー解消情報が非優先表示情報であるという情報が記憶され、エラー解消情報の表示優先レベル「６」が設定されている。給紙カセット４が装着位置に正しく装着されていないというエラー「給紙カセットオープン」に対しては、給紙カセット４に用紙（シート）がなく、かつ、給紙カセット４以外にシートを支持する給紙トレイが設けられていないか、または、給紙カセット４以外に給紙トレイが設けられている場合であって、その給紙トレイに給紙カセット４の用紙に代替できる用紙（シート）がないというエラー「用紙無し」に対しては、エラー解消情報が非優先表示情報であるという情報が記憶され、エラー解消情報の表示優先レベル「４」が設定されている。前述のエラー「排紙トレイ満載」に対しては、エラー解消情報が非優先表示情報であるという情報が記憶され、エラー解消情報の表示優先レベル「３」が設定されている。また、上述したように、ＡＤＦ６でジャムした原稿を取り除くジャム処理などのために、ＡＤＦ６には、開閉可能なＡＤＦカバー８が設けられている（図１参照）。このＡＤＦカバー８が開いているというエラー「カバーオープン」に対しては、エラー解消情報が優先表示情報であるという情報が記憶され、エラー解消情報の表示優先レベル「２」が設定されている。
【００５９】
ＭＦＰ１で生じている複数のエラーに優先表示情報に対応するエラーが含まれている場合（Ｓ１５３：ＹＥＳ）、ＣＰＵ３４は、優先表示情報に対応するエラーを抽出し、その抽出したエラーの中で表示優先レベルが最も高いエラーのエラー解消情報を取得する（Ｓ１５４）。
【００６０】
ＭＦＰ１で生じている複数のエラーに優先表示情報に対応するエラーが含まれていない場合（Ｓ１５３：ＮＯ）、つまり複数のエラーのすべてが非優先表示情報に対応するエラーである場合、ＣＰＵ３４は、その複数のエラーの中で表示優先レベルが最も高いエラーのエラー解消情報を取得する（Ｓ１５５）。
【００６１】
エラー解消情報の取得後、ＣＰＵ３４は、表示情報取得処理を終了して、図４に示されるエラー表示処理に戻る。
【００６２】
＜エラー表示の具体例＞
たとえば、エラー「排紙トレイ満載」が生じている状態で液晶オフ条件が成立した場合、エラー表示処理（表示情報取得処理および表示変更処理の各サブルーチンを含む。）の実行により、図７に示されるように、不揮発性ディスプレイ１４に、エラー解消情報として、「排紙トレイが満載状態です」というエラーの内容を表す文字情報と、「排紙トレイから用紙を取り除いてください」というエラーの解消方法を表す文字情報とが上下２段で表示される。
【００６３】
エラー「カバーオープン」とエラー「用紙無し（代替できる用紙が他のトレイに有る）」との２つのエラーが生じている状態で液晶オフ条件が成立した場合、表示情報取得処理では、優先表示情報であるエラー「カバーオープン」のエラー解消情報が取得される。エラー「カバーオープン」のエラー解消情報は、たとえば、「カバーが開いています」というエラーの内容を表す文字情報と、「ＡＤＦカバーを閉じてください」というエラーの解消方法を表す文字情報とを含む。そして、表示情報取得処理に続いて実行される表示変更処理では、エラー「カバーオープン」のエラー解消情報に加えて、非優先表示情報であるエラー「用紙無し（代替できる用紙が他のトレイに有る）」が生じている旨が不揮発性ディスプレイ１４に表示されるように、通常から変更された表示内容（表示態様）が決定される。これにより、不揮発性ディスプレイ１４には、図８に示されるように、「カバーが開いています」というエラーの内容を表す文字情報が上段に表示され、その右側に、エラー「用紙無し（代替できる用紙が他のトレイに有る）」が生じている旨を表す「用紙切れ」の文字情報が表示される。また、「用紙切れ」の文字情報の右側には、ＭＦＰ１に生じているエラー数の情報が括弧書きで「エラー数（２）」と表示される。下段には、「ＡＤＦカバーを閉じてください」というエラーの解消方法を表す文字情報が表示される。
【００６４】
また、不揮発性ディスプレイ１４に、図９に示されるように、エラー「用紙無し（代替できる用紙が他のトレイに無い）」のエラー解消情報である「用紙が切れています」というエラーの内容を表す文字情報が表示されている状態で液晶オン条件が成立した場合、液晶タッチパネル１５への電力の供給が再開される。そして、液晶タッチパネル１５には、エラー「用紙無し（代替できる用紙が他のトレイに無い）」の解消方法が文字情報「用紙を補充してください」とイラストまたはアニメーションとにより表示されてもよい。この表示は、ＭＦＰ１に生じているエラー数が１である場合にとくに有効であり、エラーの解消方法をユーザに判りやすく報知することができる。
【００６５】
ＭＦＰ１に複数のエラーが発生している場合であって、表示情報取得処理で取得されたエラー解消情報が不揮発性ディスプレイ１４に表示されている状態で液晶オン条件が成立した場合には、液晶タッチパネル１５への電力の供給の再開後、図１０に示されるように、不揮発性ディスプレイ１４に表示されているエラー解消情報に対応するエラー以外のエラーのエラー解消情報が液晶タッチパネル１５に表示されてもよい。図１０には、不揮発性ディスプレイ１４に、エラー「トナー（インク）無し」のエラー解消情報である「トナーカートリッジを交換してください」の文字情報が表示され、液晶タッチパネル１５に、エラー「ジャム」のエラー解消情報である「用紙が詰まっています」の文字情報と、エラー「給紙カセットオープン」のエラー解消情報である「給紙カセットが正しく装着されていません」の文字情報とが表示された例が示されている。
【００６６】
＜中断／再開処理＞
ＭＦＰ１における画像形成動作のために電力により駆動される画像形成部２１およびシート搬送部２２、ならびに、画像読取動作のために電力により駆動される画像読取部２３およびＡＤＦ搬送部２４に電力が供給されている状態では、ＣＰＵ３４により、図１１に示される中断／再開処理が実行される。
【００６７】
中断／再開処理では、ＣＰＵ３４は、ＭＦＰ１にエラー（動作中断要因）が生じたか否かを判別する（Ｓ３１）。
【００６８】
エラーが発生していない場合、中断／再開処理はそれ以上に進まず（Ｓ３１：ＮＯ）、ＣＰＵ３４は、一定の周期でエラーが生じたか否かを判別する（Ｓ３１）。
【００６９】
たとえば、画像形成動作中に画像形成装置２にエラーが発生すると（Ｓ３１：ＹＥＳ）、ＣＰＵ３４は、画像形成部２１およびシート搬送部２２の各動作を中断させる（Ｓ３２）。
【００７０】
画像形成部２１およびシート搬送部２２の各動作の中断後、ＣＰＵ３４は、画像形成部２１およびシート搬送部２２への電力の供給を遮断する（Ｓ３３）。これにより、消費電力の低減を図ることができる。
【００７１】
その後、ＣＰＵ３４は、画像形成装置２に生じていたエラーが解消されたか否かを判別する（Ｓ３４）。
【００７２】
エラーが解消されるまで中断／再開処理はそれ以上に進まず（Ｓ３４：ＮＯ）、ＣＰＵ３４は、一定の周期でエラーが解消したか否かを判別する（Ｓ３４）。
【００７３】
エラーが解消すると（Ｓ３４：ＹＥＳ）、ＣＰＵ３４は、画像形成部２１およびシート搬送部２２への電力の供給を再開する（Ｓ３５）。
【００７４】
そして、中断していた画像形成部２１およびシート搬送部２２の各動作を再開させて（Ｓ３６）、画像形成部２１およびシート搬送部２２の各動作による画像形成動作を再開させる。これにより、中断していた画像形成動作が自動的に再開されるので、ユーザが操作部１２を操作して画像形成動作の再開を指示する必要がない。よって、エラーからの復帰時のユーザの手間を省くことができる。
【００７５】
また、画像読取動作中にエラーが発生した場合には（Ｓ３１：ＹＥＳ）、ＣＰＵ３４は、画像読取部２３およびＡＤＦ搬送部２４の各動作を中断させる（Ｓ３２）。
【００７６】
画像読取部２３およびＡＤＦ搬送部２４の各動作の中断後、ＣＰＵ３４は、画像読取部２３およびＡＤＦ搬送部２４への電力の供給を遮断する（Ｓ３３）。これにより、消費電力の低減を図ることができる。
【００７７】
その後、ＣＰＵ３４は、画像読取装置３に生じていたエラーが解消されたか否かを判別する（Ｓ３４）。
【００７８】
エラーが解消されるまで中断／再開処理はそれ以上に進まず（Ｓ３４：ＮＯ）、ＣＰＵ３４は、一定の周期でエラーが解消したか否かを判別する（Ｓ３４）。
【００７９】
エラーが解消すると（Ｓ３４：ＹＥＳ）、ＣＰＵ３４は、画像読取部２３およびＡＤＦ搬送部２４への電力の供給を再開する（Ｓ３５）。
【００８０】
そして、中断していた画像読取部２３およびＡＤＦ搬送部２４の各動作を再開させて（Ｓ３６）、画像読取部２３およびＡＤＦ搬送部２４の各動作による画像読取動作を再開させる。これにより、中断していた画像形成動作が自動的に再開されるので、ユーザが操作部１２を操作して画像形成動作の再開を指示する必要がない。よって、エラーからの復帰時のユーザの手間を省くことができる。
【００８１】
＜作用効果＞
以上のように、ＭＦＰ１には、電力の供給を受けずに画像の表示を維持可能な不揮発性ディスプレイ１４が設けられている。ＭＦＰ１の動作を中断するエラー（動作中断要因）が生じている状態で液晶オフ条件（液晶タッチパネル１５への電力の供給を遮断する条件）が成立した場合、そのエラーの解消のためのエラー解消情報が優先表示情報であるか否かが判別される。そして、エラー解消情報が優先表示情報である場合、そのエラー解消情報が優先表示情報ではないエラー解消情報よりも優先して不揮発性ディスプレイ１４に表示される。そして、液晶タッチパネル１５への電力の供給が遮断される。
【００８２】
これにより、液晶タッチパネル１５への電力の供給が遮断された後も、不揮発性ディスプレイ１４にエラー解消情報が表示されるので、そのエラー解消情報をユーザが認知することができる。
【００８３】
しかも、不揮発性ディスプレイ１４の表示領域の拡大や表示内容の切り替えの手法によらず、不揮発性ディスプレイ１４に動作可能状態への復帰に必要な情報を過不足なく表示させることができる。その結果、動作中断状態から動作可能状態への復帰時期を早めることができ、ＭＦＰ１の動作効率の増大を図ることができる。
【００８４】
エラーが生じている状態で、液晶オフ条件が成立しない場合には、そのエラーのエラー解消情報が液晶タッチパネル１５に表示される。したがって、ユーザが液晶タッチパネル１５の表示を見てエラー解消情報を認知することができる。
【００８５】
ＭＦＰ１の制御部２６には、ＲＯＭ３２が設けられており、ＲＯＭ３２には、複数のエラーの個々とそのエラーの解消のためのエラー解消情報が優先表示情報であるか否かとを対応づけた優先度テーブルが記憶されている。そのため、ＣＰＵ３４は、優先度テーブルを参照することにより、複数のエラーが発生した場合に、各エラーのエラー解消情報が優先表示情報であるか否かを容易に判別することができる。
【００８６】
また、優先度テーブルでは、複数のエラーの個々と対応づけて、その個々のエラーの解消のためのエラー解消情報の表示優先レベルが記憶されている。複数の優先表示情報に係るエラーが生じている場合、ＣＰＵ３４は、その生じているエラーの個々に対応する表示優先レベルを比較することにより、どのエラー解消情報が優先表示情報であるかを容易に決定することができる。
【００８７】
複数のエラーが生じている場合であって、その生じているエラーのエラー解消情報のすべてが優先表示情報ではない場合、つまり複数のエラーのエラー解消情報のすべてが非優先表示情報である場合、ＣＰＵ３４は、各エラー解消情報の表示優先レベルを比較して、不揮発性ディスプレイ１４に表示させるエラー解消情報を決定する。これにより、不揮発性ディスプレイ１４に表示させるべき優先表示情報であるエラー解消情報がない場合に、非優先表示情報であるエラー解消情報を不揮発性ディスプレイ１４に表示させることができながら、その不揮発性ディスプレイ１４に表示させるエラー解消情報を容易に決定することができる。
【００８８】
また、複数のエラーのエラー解消情報が優先表示情報である場合であって、優先表示情報であるエラーの解消のための情報のすべてを不揮発性ディスプレイ１４に表示しきれない場合、不揮発性ディスプレイ１４に表示されないエラー解消情報が存在する旨、たとえば、図８に示されるように、ＭＦＰ１に生じているエラー数を表す情報が不揮発性ディスプレイ１４に表示される。そのため、ユーザが不揮発性ディスプレイ１４に表示されているエラー解消情報に対応するエラー以外の別のエラーがＭＦＰ１に生じていることを認知できる。
【００８９】
＜変形例＞
以上、本発明の一実施形態について説明したが、本発明は、他の形態で実施することもできる。
【００９０】
たとえば、ＭＦＰ１に複数のエラーが発生している場合であって、表示情報取得処理で取得されたエラー解消情報が不揮発性ディスプレイ１４に表示されている状態で液晶オン条件が成立した場合には、図１２に示されるように、液晶タッチパネル１５への電力の供給の再開後、すべてのエラーのエラー解消情報が液晶タッチパネル１５に表示されて（Ｓ２０）、不揮発性ディスプレイ１４の表示が消去されてもよい（Ｓ２１）。図１３には、その場合の表示の具体例として、不揮発性ディスプレイ１４の表示が消去され、液晶タッチパネル１５に、エラー「ジャム」のエラー解消情報である「用紙が詰まっています」の文字情報と、エラー「給紙カセットオープン」のエラー解消情報である「給紙カセットが正しく装着されていません」の文字情報とが表示された例が示されている。
【００９１】
また、不揮発性ディスプレイ１４に表示されている情報に対応するエラーが解消された場合であって、他のエラーが生じている場合には、他のエラーのエラー解消情報が優先表示情報であるか否かが判別されて、他のエラーのエラー解消情報が優先表示情報である場合、図１４に示されるように、当該エラー解消情報が不揮発性ディスプレイ１４に表示されてもよい。図１４には、図８に示される表示例と同一の表示が不揮発性ディスプレイ１４に表示されている状態から、エラー「カバーオープン」が解消されて、エラー「用紙無し（代替できる用紙が他のトレイに無い）」のエラー解消情報である「用紙が切れています」というエラーの内容を表す文字情報および「用紙を補充してください」というエラーの解消方法を表す文字情報が不揮発性ディスプレイ１４に表示される例が示されている。
【００９２】
揮発性ディスプレイの一例として、液晶タッチパネル１５の液晶ディスプレイを取り上げたが、液晶ディスプレイ以外の揮発性ディスプレイ、たとえば、有機ＥＬディスプレイ、プラズマディスプレイなどが用いられてもよい。
【００９３】
前述の実施形態では、ＣＰＵ３４が各処理を実行する場合について説明した。しかしながら、ＡＳＩＣ３１が複数のＣＰＵを備え、複数のＣＰＵが協働して各処理を実行してもよい。
【００９４】
また、前述の実施形態では、画像処理装置の一例として、画像形成機能および画像読取機能を有するＭＦＰ１を取り上げたが、画像処理装置は、画像形成機能を有する単機能のプリンタであってもよいし、画像読取機能を有する単機能のスキャナであってもよい。
【００９５】
その他、前述の構成には、特許請求の範囲に記載された事項の範囲で種々の設計変更を施すことが可能である。
【符号の説明】
【００９６】
１：ＭＦＰ
２：画像形成装置
３：画像読取装置
１１：表示部
１４：不揮発性ディスプレイ
１５：液晶タッチパネル
２１：画像形成部
２２：シート搬送部
２３：画像読取部
２４：ＡＤＦ搬送部
２６：制御部
３２：ＲＯＭ
３４：ＣＰＵ
【図１】
2018157404.tif 000003
【図２】
2018157404.tif 000004
【図３】
2018157404.tif 000005
【図４】
2018157404.tif 000006
【図５】
2018157404.tif 000007
【図６】
2018157404.tif 000008
【図７】
2018157404.tif 000009
【図８】
2018157404.tif 000010
【図９】
2018157404.tif 000011
【図１０】
2018157404.tif 000012
【図１１】
2018157404.tif 000013
【図１２】
2018157404.tif 000014
【図１３】
2018157404.tif 000015
【図１４】
2018157404.tif 000016